(57)【特許請求の範囲】
【請求項１】
正当なキーであることを示す位置に磁石が組み込まれているカードキーと、前記カードキーと一緒に閉錠位置と開錠位置との間を移動するスライダーと、正当なカードキーが挿入されていない場合に前記スライダーを係止するとともに正当なカードキーが挿入された場合に前記カードキーの磁石との反発力により移動して前記スライダーを解放するピン形磁石とを具備する磁石利用のロック装置において、前記カードキーに、開閉操作中に誤って抜き出すことを防止するための孔を設け、前記スライダーに、前記カードキーと一緒に閉錠位置と開錠位置の間にある場合に先端が前記カードキーの孔に入って前記カードキーを係止するクリックピンと、前記クリックピンを前記カードキーの孔の反対方向に付勢するクリックピンスプリングとを設け、ロック装置本体部に、前記スライダーが閉錠位置または開錠位置にある場合に前記クリックピンの先端が前記カードキーの孔から出た状態に維持する凹部と、前記スライダーが移動中で閉錠位置と開錠位置の間にある場合に前記カードキーが抜けないように前記クリックピンの先端が前記カードキーの孔に入るように前記クリックピンの頭部を押す凸部とを設け、前記クリックピンの頭部の表面と前記凹部の表面は、前記スライダーの移動に応じて前記クリックピンが軸方向に動き、前記スライダーが移動して閉錠位置または開錠位置に来た際にクリック音が発生するように、互いに対応する滑らかな表面としたことを特徴とする磁石利用のロック装置。
【発明の詳細な説明】
【０００１】
【発明の属する技術分野】
この発明は、例えばカバンの蓋の開閉に用いるジッパーのつまみのロックなどに使用できる磁石利用のロック装置に関する。
【０００２】
【従来の技術】
従来から使用されている普通のキーを用いたロック装置は、キーに刻まれている凹凸と、ロック装置側のロックピンやロック片とか適合したとき開錠できるようになっているが、キーを差し込んだとき、ロックピンやロック片を乗り越える必要があり、スムーズに抜き差しできないこともあるという不具合があった。
【０００３】
そこでキーに磁石を組み込み、ロック装置側に配設した磁石との反発力を利用し、キーと一緒にスライダーを移動させることにより錠の開閉を行う磁石利用のロック装置が考えられたが、スライダーを移動させている途中でキーが抜けたり、スライダーの移動の両端である閉錠位置と開錠位置に来ているのかどうかがはっきりしないという不具合を免れなかった。
【０００４】
【発明が解決しようとする課題】
この発明は、前記の不具合を解消して、スライダーの移動中にキーが抜けず、またスライダーの移動の両端である閉錠位置と解錠位置に来たことが判るような磁石利用のロック装置を得ることをその課題とする。
【０００５】
【課題を解決するための手段】
この発明は前記の課題を解決するために、キーに組み込まれている磁石と、ロック装置側に配設されている磁石との反発力を利用し、かつキーと一緒にスライダーを移動させることにより、ロック装置の開閉を行う磁石利用のロック装置において、キーに設けた孔と、ロック装置に設けた凹凸部と、その間に介在させたクリッピンならびにクリックピンスプリングとの組み合わせにより、スライダー移動中キーが抜けず、またスライダー移動の両端において、クリック音を発生させるように構成されていることを特徴とする磁石利用のロック装置を得たものである。
【０００６】
【発明の実施の形態】
図５はこの発明の磁石利用のロック装置１０の構成を、外側の本体７０を外して示したもので、図６は図５のＡ−Ａ断面を示している。なお本体７０は２点鎖線で示している。図において、２０はスライダー、３０はスライダーカバー、４０はフック５０を係止するストッパー、６０はフックを操作するプッシュである。（このロック装置の作用の詳細は後述する。）図６に示すようにスライダー２０の磁石保持孔２４内にある磁石８０は磁石スプリング８１に押されて裏板７５に設けられている凹部７９に入り、スライダー２０は裏板７５に対して相対的な移動はできない。図７はスライダーの鍵溝２１にキー５を差し込んだところを示していて、キー５に組み込まれている磁石７と、上述の磁石８０とは互いに反発して磁石８０はスプリング８１に抗して後退し、裏板７５の凹部７９から抜け出るのでスライダー２０はキー５と一緒に動き得るようになる。
【０００７】
７３はクリックピンであって、スライダー２０のクリックピン保持孔２５内に保持され、クリックピンスプリング７４によって、裏板７５に設けられた凹凸部７６に押しつけられている。図２９は図６をＲ方向からみた断面でクリックピンの作用を説明したもので、（Ａ）はキー５をスライダー２０の鍵溝２１に差し込んだところを示し、クリックピンの頭部は裏板７５の凹凸部７６の凹部のところにあるので、クリックピンスプリング７４に押されてクリックピンの頭部は凹部中に入り、クリックピン７３はキー５の孔６からは抜け出ていて、キーは自由に抜き差しできる。（Ｂ）はキー５とスライダー２０とを一緒に図の右方に移動させている状態を示し、クリックピン７３の頭部は凹凸部７６の凸部のところに来るので、クリックピン７３はクリックピンスプリング７４に抗して上昇し、その先端はキー５の孔６に入り、移動中はキー５が抜けることはない。（Ｃ）は反対端に到達した状態であって、クリックピン頭部が再び凹凸部７６の凹部に来るのでクリックピンスプリング７４に押されて急激に凹部に入りこみ、クリック音を発生するなど他端（即ち閉錠位置もしくは開錠位置）に達したことが明らかに判るとともに、キー５をスライダー２０の鍵溝２１から抜き出すことができる。なお図から判るように、キー５とスライダー２０とは図６、図７では紙面に直角に動き、それが、図６をＲ方向からみた図２８では紙面上の左右の動きになる。
【０００８】
【実施例】
図１はこの発明のロック装置を、蓋の開閉にジッパーを使用するカバンに適用した実施例の斜視図を示し、図２はジッパーとロック装置との関係を拡大して示した説明図、図３は図２をＲ方向からみた底面図を夫々示している。図において、１０はこの発明の磁石利用のロック装置であって、１はカバン、２は蓋、３はジッパー、４はジッパーのつまみ、７０はロック装置の最外側の本体であって、取付ビス７７でカバン１に取付けられている。
【０００９】
カバンをロックするときは、ジッパー３のつまみ４をロック装置１０のつまみ収納部７８に入れ、つまみ４の孔にフック５０を嵌入し、キー５を本体７０のキー挿入窓７１から差し込み、図で左に動かせば閉錠される。ロックを解放したいときは、キーを挿入窓７１から差し込み、右に動かせばよい。７２は表示窓であって、解錠か閉錠か何れの状態であるかが色別や記号などで表示される。
【００１０】
開錠時にカバンを開けたいときには、プッシュ６０を図の右方に押せば、フック５０が右方に後退し、ジッパー３のつまみ４の孔から抜けるので、つまみ４をつまみ収納部７８から取り出してジッパー３を操作することができる。
【００１１】
図４はキー５の正面図であって、中央に孔６を有し、また所定の位置に複数の磁石７が組み込まれている。
前述の如く、図５は本体７０を外してこの発明のロック装置１０の構成を示した正面図（本体７０は２点鎖線で示している。以下図９、図１１でも同様である。）図６は図５のＡ−Ａ段面図、図７は図６にキー５を差し込んだところを示した図、図８は図５のＢ−Ｂ断面図を示している。図９は開錠時の状態を示す図５と同様な正面図、図１０は一部を断面で示した図、図１１は閉錠時の状態を示す図９と同様な正面図、図１２は一部を断面で示した図１０と同様な図である。
【００１２】
図１３は本体７０の正面図、図１４は図１３をＲ方向からみた底面図、図１５は図１３のＡ−Ａ断面図を夫々示している。７１はキー挿入窓、７２は施錠状態の表示窓、７８はジッパーのつまみ４の収納部を示している。
【００１３】
図１６はスライダー２０の正面図、図１７は図１６をＲ方向からみた平面図であって、２１はキーが差し込まれる鍵溝、２２は後述するストッパーを移動させる操作部であって、図示の例では２本の斜溝２３が設けられている。２４は前述の如く磁石８０が移動する磁石保持孔である。（図６、図７参照）
【００１４】
図１８はスライダーカバー３０の正面図、図１９は図１８をＲ方向からみた端面図であって、３１はキー挿入窓、３２、３３、３４は折り曲げられてスライダー２０と係合する折曲部を示している。
【００１５】
図２０はストッパー４０の正面図、図２１は図２０をＲ方向からみた底面図であって、４１は前述のスライダー２０の斜溝２３に係合する突起、４２は閉錠時に後述するフックを押さえているフック押さえ部である。突起４１がスライダー２０の斜溝２３と係合しているのでスライダー２０の移動によりストッパー４０は矢印Ｄ（図５参照）で示すように、双方向に動いて、閉錠又は開錠を行うものである。（これらのロック作用については、構成部品の説明の後で詳述する。）
【００１６】
図２２はフック５０の正面図、図２３は図２２をＲ方向からみた端面図、図２４は図２３をＳ方向からみた背面図、図２５は図２３をＴ方向からみた側面図であって、５１はジッパーのつまみ４の孔の中に嵌入されるジッパーのつまみの係止部、５２はストッパー４０と係合する係止部、５３は後述するプッシュとの係合部、５４は凹部である。図２５から判るように、ジッパーのつまみの係止部５１の上面は球面状の面５７に形成されている。
【００１７】
図２６はプッシュ６０の正面図、図２７は図２５をＲ方向からみた平面図、図２８は図２６をＳ方向からみた端面図であって、６１は押しボタン、６２はボタンから延びる板状部、６３は板状部から直角に突出している突出部、６４は突出部先端の折曲部、６５はフックの係合部５３と係合するため折曲部からさらに突出している突起である。図１、図２、図５等から判るように押しボタン６１は本体７０から外方に出ていて、プッシュ６０を操作することができる。
【００１８】
以上説明した図面に基づいて、この実施例の磁石利用のロック装置の作用について説明する。
ロック装置１０が図９、図１０に示す開錠状態にあるときは、スライダー２０は図で右方向に来ている。スライダー２０の磁石保持孔２４内にある磁石８０は磁石スプリング８１に押されて裏板７５に設けられている凹部７９に入りスライダーは動けない。（図６参照）図９、図１０ではプッシュ６０の押ボタン６１を押してフック５０を右方に移動させたところを示しているが、通常は開錠時であってもフックの凹部５４に介在しているフックスプリング５５によって、図５に示すように、フック５０もプッシュ６０も左方に付勢され、フック５０のつまみ係止部５１はつまみ収納部７８内まで達している。
【００１９】
カバン１の蓋２をしめ、ジッパー３を閉じておいて、施錠したいときは、ジッパー３のつまみ４をつまみ収納部７８に押しこめば、つまみ４はフック５０のつまみ係止部５１の上面５７を押す。図２５で説明したように、上面５７は球面状に形成されているので、その傾斜面をつまみ４が押し、フック５０はフックスプリング５５に抗して図２５の右方に後退し、つまみ４は収納部７８内に入りこむ。つまみ４が収納部７８内に入りこむと、フックスプリング５５によってフック５０は左方に戻り、つまみ係止部５１はつまみ４の孔４９を貫通し、つまみ４は抜けなくなる。（図５、図８、図１０、図２５参照）
【００２０】
施錠する時は、キー５を本体７０のキー挿入窓７１、スライダーカバー３０のキー挿入窓３１を通して、スライダー２０の鍵溝２１に差し込めば、前述の如くキー５に組み込んだ磁石７と磁石８０とが反発しスライダー２０の磁石保持孔２４中を移動し、裏板７５の凹部７９から抜けるのでスライダー２０が移動しうるようになる。（図６、図７参照）そしてキー５をともにスライダー２０ならびにスライダーカバー３０を図の左方に移動させる。（図１１の▲１▼の方向）
【００２１】
前述の如く、この発明では、裏板７５のスライダー移動位置に凹凸部７６を形成し、またスライダー内に、クリックピンスプリング７４によって、この凹凸部側に付勢されているクリックピン７３が介在しており、さらに凹凸部７６の両端の開錠位置と閉錠位置は凹部となっていて、クリックピン７３はクリックピンスプリング７４に押されてその頭部が凹部中に嵌入するようになっている。その中間は凸部となっているので、クリックピン７３はクリックピンスプリング７４に抗してキー側に押されクリックピン７３の先端がキー５の孔６に入りこむので、移動中にはキーは抜けないようになっている。そしてキー５とスライダー２０とが他端の閉錠位置まで来ると、再び凹部となっているので、クリッピン７３はクリックピンスプリング７４に押されてその頭部が凹部中に入り、クリック音を発して閉錠位置に到達したことを知らせ、またクリックピン７３はキー５の孔６から外れ、キー５が抜けるようになる。
【００２２】
図１１、図１２に示すように、閉錠時にはスライダー２０が左方に移動するので、その突起４１がスライダーの斜溝２３に係合しているストッパー４０は、図１２でスライダーが▲２▼の方向に動くと、突起４１と斜溝２３との関係で同じく図１２の▲３▼の方向に動き、先端のフック押さえ部４２がフック５０の係合部５２と係合し、フック５０が図の右方に動くのを係止する。それでプッシュ６０のボタン６１を押してもフック５０は動かない。
【００２３】
開錠するときは、キー５を本体７０の鍵挿入窓７１とスライダーカバー３０の鍵挿入窓３１とを通してスライダー２０の鍵溝２１に差し込めば、再び図７の状態になり、前述の如くスライダー２０を動かせるようになるので、キー５と一緒にスライダー２０を右方に移動させる。開錠位置までくれば、クリックピン７３の頭部が裏板７５に設けられた凹凸部７６の反対側の凹部に入り、クリック音で開錠位置に到達したことが判ると同時にクリックピン７３がキー５の孔６から抜けてキーを抜き出すことができるようになる。
【００２４】
スライダー２０が右方に動くと、スライダー２０の斜溝２３とストッパー４０の突起４１との関係でストッパー４０は図１０の▲４▼の方向に動き、フック押さえ部４２がフック５０の係合部５２から外れ開錠状態になる。
【００２５】
ジッパー３を操作して、カバン１の蓋２を開きたい時は、プッシュ６０のボタン６１を押せば、プッシュ６０の突起６５（図２６、図２７、図２８参照）がフック５０の係合部５３と係合しているので、フックスプリング５５に抗してプッシュ６０とフック５０と一緒に図９の▲５▼方向に動き、フック５０のつまみ係止部５１も、つまみ収納部７８に入っているつまみ４の孔４９から抜けるので、ジッパー３のつまみ４は板ばね５６によって収納部７８から跳ね出し、つまみ４を持ってジッパーを操作することができる。
【００２６】
【効果】
この発明の磁石利用のロック装置は前記の如き構成であって、錠の操作中にキーが抜け出る惧れがなく、また操作するキーが、閉錠位置または開錠位置に到達したことをクリックピンにより知ることができる。なお磁石を利用したロック装置であるからキーに凹凸をつける必要がなく、キーの抜き差しが抵抗なく行えるという効果も有する。
【図面の簡単な説明】
【図１】    この発明のロック装置を適用したジッパー付カバンの斜視図
【図２】    ジッパーとロック装置との関係を示す拡大説明図
【図３】    ロック装置を図２のＲ方向からみた底面図
【図４】    キーの正面図
【図５】    ロック装置の正面図
【図６】    図５のＡ−Ａ断面図
【図７】    図６の状態にキーを差し込んだところを示す図
【図８】    図５のＢ−Ｂ断面図
【図９】    開錠状態のロック装置の正面図
【図１０】  図９を一部破断して示した図
【図１１】  閉錠状態のロック装置の正面図
【図１２】  図１１を一部破断して示した図
【図１３】  本体の正面図
【図１４】  図１３をＲ方向からみた底面図
【図１５】  図１３のＡ−Ａ断面図
【図１６】  スライダー正面図
【図１７】  図１６をＲ方向からみた平面図
【図１８】  スライダーカバー正面図
【図１９】  図１８をＲ方向からみた端面図
【図２０】  ストッパー正面図
【図２１】  図２０をＲ方向からみた底面図
【図２２】  フック正面図
【図２３】  図２２をＲ方向からみた端面図
【図２４】  図２３をＳ方向からみた背面図
【図２５】  図２３をＴ方向からみた側面図
【図２６】  プッシュ正面図
【図２７】  図２５をＲ方向からみた平面図
【図２８】  図２５をＳ方向からみた端面図
【図２９】  クリックピンの作用説明図
【符号の説明】
１  カバン
２  蓋
３  ジッパー
４  つまみ
５  キー
６  キーの孔
７  キーに組み込んだ磁石
１０  この発明のロック装置
２０  スライダー
２１  鍵溝
２２  ストッパー操作部
２３  斜溝
２４  磁石保持孔
２５  クリックピン保持孔
３０  スライダーカバー
３１  キー挿入窓
３２  折曲部
３３  折曲部
３４  折曲部
４０  ストッパー
４１  突起
４２  フック押さえ部
４９  つまみの孔
５０  フック
５１  つまみ係止部
５２  ストッパーとの係合部
５３  プッシュとの係合部
５４  フック内凹部
５５  フックスプリング
５６  板ばね
５７  球状面
６０  プッシュ
６１  ボタン
６２  板状部
６３  突出部
６４  折曲部
６５  突起
７０  本体
７１  キー挿入窓
７２  施錠状態表示窓
７３  クリックピン
７４  クリックピンスプリング
７５  裏板
７６  クリックピン用凹凸部
７７  本体取付ビス
７８  つまみ収納部
７９  裏板の
８０  磁石
８１  磁石用スプリング
【図１】
0004446553.tif 000002
【図２】
0004446553.tif 000003
【図３】
0004446553.tif 000004
【図４】
0004446553.tif 000005
【図５】
0004446553.tif 000006
【図６】
0004446553.tif 000007
【図７】
0004446553.tif 000008
【図８】
0004446553.tif 000009
【図９】
0004446553.tif 000010
【図１０】
0004446553.tif 000011
【図１１】
0004446553.tif 000012
【図１２】
0004446553.tif 000013
【図１３】
0004446553.tif 000014
【図１４】
0004446553.tif 000015
【図１５】
0004446553.tif 000016
【図１６】
0004446553.tif 000017
【図１７】
0004446553.tif 000018
【図１８】
0004446553.tif 000019
【図１９】
0004446553.tif 000020
【図２０】
0004446553.tif 000021
【図２１】
0004446553.tif 000022
【図２２】
0004446553.tif 000023
【図２３】
0004446553.tif 000024
【図２４】
0004446553.tif 000025
【図２５】
0004446553.tif 000026
【図２６】
0004446553.tif 000027
【図２７】
0004446553.tif 000028
【図２８】
0004446553.tif 000029
【図２９】
0004446553.tif 000030